(57)【特許請求の範囲】
【請求項１】
電話帳機能を有する携帯型通信装置に着脱自在に接続可能で前記携帯型通信装置との間でデータの入出力を行う第１のインタフェース手段と、
所定のユーザの名前データと、前記所定のユーザの電話番号データと、前記所定のユーザの電子メールアドレスデータとを含む所定のデータを記憶し、当該記憶されたデータを書き換え可能な記憶手段と、
コンピュータに着脱自在に接続可能であり、前記コンピュータが接続された状態で、前記コンピュータが前記記憶手段にデータを書き込む際のインタフェースとなる第２のインタフェース手段と、
前記第１のインタフェース手段が前記携帯型通信装置に接続された状態で、前記携帯型通信装置が、前記記憶手段に記憶された前記所定のユーザの前記名前データ、前記電話番号データおよび前記電子メールアドレスデータを前記電話帳機能を用いて電話帳登録し、当該携帯型通信装置の電話番号データを少なくとも含む電子メールを生成し、当該生成した電子メールを前記電話帳登録された前記ユーザの電子メールアドレスに送信する動作を行うトリガーとなる要求を前記携帯型通信装置に送信する制御手段と
を有する通信補助装置。
【請求項２】
前記記憶手段は、前記携帯型通信装置の機能を規定したアプリケーションプログラムを書き換え可能な状態で記憶し、
前記第２のインターフェースは、コンピュータに着脱自在に接続可能であり、前記コンピュータが接続された状態で、前記コンピュータが前記記憶手段にアプリケーションプログラムを書き込む際のインタフェースとなり、
前記制御手段は、前記第１のインタフェース手段が前記携帯型通信装置に接続された状態で、前記記憶手段に記憶されたアプリケーションプログラムに基づいて前記携帯型通信装置の機能を制御する
請求項１に記載の通信補助装置。
【請求項３】
前記記憶手段は、前記携帯型通信装置がネットワークを介してアクセス可能な情報の前記ネットワーク上でのアドレスをさらに記憶し、
前記第２のインターフェースは、コンピュータに着脱自在に接続可能で、前記コンピュータが接続された状態で、前記コンピュータが前記記憶手段に前記アドレスを書き込む際のインタフェースとなり、
前記制御手段は、前記第１のインタフェース手段が前記携帯型通信装置に接続された状態で、前記記憶手段から前記アドレスを読み出して前記第１のインタフェース手段を介して前記携帯型通信装置に出力する制御を行う
請求項１に記載の通信補助装置。
【請求項４】
通信補助装置を用いて、電話帳機能を有する携帯型通信装置に所定のユーザに係わるデータを電話帳登録する通信方法であって、
コンピュータを前記通信補助装置に着脱自在な状態で接続し、前記所定のユーザの名前データと、前記所定のユーザの電話番号データと、前記所定のユーザの電子メールアドレスデータとを、前記コンピュータから前記通信補助装置に書き込み、
前記コンピュータと前記通信補助装置との間の前記接続を取り外し、
前記通信補助装置を前記携帯型通信装置に接続し、前記通信補助装置が前記携帯型通信装置に要求を送信し、
前記携帯型通信装置が、前記要求に応じて、前記通信補助装置に記憶された前記所定のユーザの前記名前データ、前記電話番号データおよび前記電子メールアドレスデータを前記電話帳機能を用いて電話帳登録し、当該携帯型通信装置の電話番号データを少なくとも含む電子メールを生成し、当該生成した電子メールを前記電話帳登録された前記ユーザの電子メールアドレスに送信する動作を行う
通信方法。
【請求項５】
コンピュータを前記通信補助装置に着脱自在な状態で接続し、前記携帯型通信装置の機能を規定したアプリケーションプログラムを、前記コンピュータから前記通信補助装置に書き込み、
前記コンピュータと前記通信補助装置との間の前記接続を取り外し、
前記通信補助装置を前記携帯型通信装置に着脱自在な状態で接続し、前記通信補助装置が、前記アプリケーションプログラムに基づいて前記携帯型通信装置の機能を制御する
請求項４に記載の通信方法。
【請求項６】
コンピュータを前記通信補助装置に着脱自在な状態で接続し、前記携帯型通信装置が通信を行うサーバ装置のネットワーク上でのアドレスを、前記コンピュータから前記通信補助装置に書き込み、
前記コンピュータと前記通信補助装置との間の前記接続を取り外し、
前記通信補助装置を前記携帯型通信装置に着脱自在な状態で接続し、前記携帯型通信装置が前記通信補助装置から入力した前記アドレスに基づいて前記サーバ装置にアクセスを行う
請求項４に記載の通信方法。
【発明の詳細な説明】
【０００１】
【発明の属する技術分野】
本発明は、携帯型通信装置を制御する通信補助装置、並びに当該通信補助装置を用いた通信方法に関する。
【０００２】
【従来の技術】
近年、携帯電話装置を使った通信、並びにインターネットを介した電子メールの送受信が普及し、他人の携帯電話装置の電話番号および電子メールアドレスなどの交換がユーザ間で頻繁に行われている。
従来では、例えば、各ユーザが、他人から聞いた当該他人の携帯電話装置の電話番号や電子メールアドレスを、電話帳機能を使って、携帯電話装置の操作ボタンを操作して登録（入力）している。
ユーザは、上記登録後は、当該携帯電話装置を操作して電話帳登録された当該他人の携帯電話装置の電話番号や電子メールアドレスを検索して指定するだけで、再び当該電話番号や電子メールアドレスを入力することなく、当該他人への発呼、並びに電子メールの送信を行うことができる。
【０００３】
【発明が解決しようとする課題】
しかしながら、上述した従来の手法では、ユーザが、一度は、他人の電話番号や電子メールアドレスを、操作ボタンを操作して携帯電話装置に入力する必要があり、ユーザの負担が大きいという問題がある。
また、ユーザが、携帯電話装置を購入後に、当該携帯電話装置の機能を変更または拡張したい場合があるが、従来では、当該変更または拡張は基本的にできないという問題がある。
本発明は上述した従来技術の問題点に鑑みてなされ、他人の電話番号や電子メールアドレスを簡単な操作で、携帯型通信装置に電話帳登録できる通信補助装置および通信方法を提供することを目的とする。
また、本発明は、携帯型通信装置の機能をユーザが容易に変更または拡張することができる通信補助装置および通信方法を提供することを目的とする。
【０００４】
【課題を解決するための手段】
上述した従来技術の問題点を解決し、上述した目的を達成するために、第１の観点の発明の通信補助装置は、電話帳機能を有する携帯型通信装置に着脱自在に接続可能で前記携帯型通信装置との間でデータの入出力を行う第１のインタフェース手段と、所定のユーザの名前データと、前記所定のユーザの電話番号データと、前記所定のユーザの電子メールアドレスデータとを含む所定のデータを記憶し、当該記憶されたデータを書き換え可能な記憶手段と、コンピュータに着脱自在に接続可能であり、前記コンピュータが接続された状態で、前記コンピュータが前記記憶手段にデータを書き込む際のインタフェースとなる第２のインタフェース手段と、前記第１のインタフェース手段が前記携帯型通信装置に接続された状態で、前記携帯型通信装置が、前記記憶手段に記憶された前記所定のユーザの前記名前データ、前記電話番号データおよび前記電子メールアドレスデータを前記電話帳機能を用いて電話帳登録し、当該携帯型通信装置の電話番号データを少なくとも含む電子メールを生成し、当該生成した電子メールを前記電話帳登録された前記ユーザの電子メールアドレスに送信する動作を行うトリガーとなる要求を前記携帯型通信装置に送信する制御手段とを有する。
【０００５】
第１の観点の発明の通信補助装置は、好ましくは、前記記憶手段は、前記携帯型通信装置の機能を規定したアプリケーションプログラムを書き換え可能な状態で記憶し、前記第２のインターフェースは、コンピュータに着脱自在に接続可能であり、前記コンピュータが接続された状態で、前記コンピュータが前記記憶手段にアプリケーションプログラムを書き込む際のインタフェースとなり、前記制御手段は、前記第１のインタフェース手段が前記携帯型通信装置に接続された状態で、前記記憶手段に記憶されたアプリケーションプログラムに基づいて前記携帯型通信装置の機能を制御する。
【０００６】
第１の観点の発明の通信補助装置は、好ましくは、前記記憶手段は、前記携帯型通信装置がネットワークを介してアクセス可能な情報の前記ネットワーク上でのアドレスをさらに記憶し、前記第２のインターフェースは、コンピュータに着脱自在に接続可能で、前記コンピュータが接続された状態で、前記コンピュータが前記記憶手段に前記アドレスを書き込む際のインタフェースとなり、前記制御手段は、前記第１のインタフェース手段が前記携帯型通信装置に接続された状態で、前記記憶手段から前記アドレスを読み出して前記第１のインタフェース手段を介して前記携帯型通信装置に出力する制御を行う。
【０００７】
第２の観点の発明の通信方法は、通信補助装置を用いて、電話帳機能を有する携帯型通信装置に所定のユーザに係わるデータを電話帳登録する通信方法であって、コンピュータを前記通信補助装置に着脱自在な状態で接続し、前記所定のユーザの名前データと、前記所定のユーザの電話番号データと、前記所定のユーザの電子メールアドレスデータとを、前記コンピュータから前記通信補助装置に書き込み、前記コンピュータと前記通信補助装置との間の前記接続を取り外し、前記通信補助装置を前記携帯型通信装置に接続し、前記通信補助装置が前記携帯型通信装置に要求を送信し、前記携帯型通信装置が、前記要求に応じて、前記通信補助装置に記憶された前記所定のユーザの前記名前データ、前記電話番号データおよび前記電子メールアドレスデータを前記電話帳機能を用いて電話帳登録し、当該携帯型通信装置の電話番号データを少なくとも含む電子メールを生成し、当該生成した電子メールを前記電話帳登録された前記ユーザの電子メールアドレスに送信する動作を行う。
【００１２】
【発明の実施の形態】
以下、本発明の実施形態に係わる通信システムについて説明する。
第１実施形態
図１は、本実施形態の通信システム１の全体構成図である。
図１に示すように、通信システム１は、携帯電話装置７ａ，７ｂ、通信補助装置８（本発明の通信補助装置）および携帯電話通信制御装置９を有する。
また、ユーザＢが所有する通信補助装置８は、例えば、ユーザＡが所有する携帯電話装置７ａに着脱自在に装着され、着時に携帯電話装置７ａと通信補助装置８との間でデータの入出力が行われる。
また、通信補助装置８は、パーソナルコンピュータ２５（本発明のコンピュータ）と着脱可能に接続され、パーソナルコンピュータ２５が接続された状態で、パーソナルコンピュータ２５によって通信補助装置８に記憶されたユーザＢの名前データ、電話番号データおよび電子メールアドレスなどの個人情報やアプリケーションプログラムなどの内部データを書き換えることができる。
【００１３】
〔携帯電話装置７ａ，７ｂ〕
携帯電話装置７ａは、ユーザＡによって使用される。また、携帯電話装置７ｂは、ユーザＢ（本発明の所定のユーザ）によって使用される。
携帯電話装置７ａ，７ｂは、例えば、同じ構成を有している。
図２は、携帯電話装置７ａ，７ｂの機能ブロック図である。
図２に示すように、携帯電話装置７ａ，７ｂは、通信インタフェース部１０、表示部１１、操作部１２、記憶部１３および制御部１４を有する。
通信インタフェース部１０は、通信補助装置８の後述する携帯用通信インタフェース部のコネクタに着脱自在に装着されるコネクタ１０ａを有し、着時に通信補助装置８との間でデータの入出力を行うインタフェースである。
表示部１１は、例えば、液晶ディスプレイであり、制御部１４の制御に基づいて、表示信号に応じた画像を表示する。
【００１４】
操作部１２は、例えば、ボタンなどの操作手段であり、ユーザによる操作に応じた操作信号を制御部１４に出力する。
記憶部１３は、例えば、ＥＥＰＲＯＭ(Electronically Erasable Programmable Read Only Memory) であり、携帯電話装置７ａ，７ｂの処理に必要なデータを記憶する。
また、記憶部１３は、出荷前に、ユーザによる書き換えができない状態で、携帯電話装置７ａ，７ｂの製造番号および電話番号データが記憶されている。
また、記憶部１３は、例えば、電話帳データ１３ａを記憶する。
電話帳データ１３ａは、制御部１４の電話帳機能により、電話帳登録された各ユーザの名前データ、電話番号データおよび電子メールアドレスデータからなり、例えば、これらのデータが登録時に割り当てられたＩＤデータと関連付けられている。
また、記憶部１３は、携帯電話装置７ａ，７ｂの機能を実現するための制御部１４による処理内容を記述したアプリケーションプログラム１３ｂを記憶する。
【００１５】
制御部１４は、記憶部１３に記憶されたアプリケーションプログラム１３ｂに基づいて、携帯電話装置７ａ，７ｂの処理を統括的に制御する。
また、制御部１４は、携帯電話装置７ａ，７ｂに通信補助装置８が装着されたときに、通信補助装置８の制御部からの制御に基づいて、後述する制御を行う。
【００１６】
〔通信補助装置８〕
図３は通信補助装置８の機能ブロック図、図４は図３に示す記憶部２２に記憶されるデータを説明するための図である。
図３に示すように、通信補助装置８は、例えば、携帯用通信インタフェース部２０、ＰＣ用インタフェース部２１、記憶部２２および制御部２３を有する。
ここで、携帯用通信インタフェース部２０が本発明の第１のインタフェース手段に対応し、ＰＣ用インタフェース部２１が本発明の第２のインタフェース手段に対応し、記憶部２２が本発明の記憶手段に対応し、制御部２３が本発明の制御手段に対応している。
【００１７】
携帯用通信インタフェース部２０は、携帯電話装置７ａの通信インタフェース部１０のコネクタ１０ａに着脱自在に装着されるコネクタ２０ａを有し、着時に携帯電話装置７ａとの間でデータの入出力を行うインタフェースである。
ＰＣ用インタフェース部２１は、パーソナルコンピュータ２５の後述する通信インタフェース部のコネクタに着脱自在に装着されるコネクタを有し、着時にパーソナルコンピュータ２５との間でデータの入出力を行うインタフェースである。
【００１８】
記憶部２２は、例えば、記憶内容を電気的に消去可能な不揮発性メモリであるＥＥＰＲＯＭであり、図４に示すように、所定のユーザ（本実施形態では、ユーザＢ）の氏名データ７０、電話番号データ７１および電子メールアドレスデータ７２と、アプリケーションプログラム７３と、ＵＲＬ７４とを記憶する。
ここで、アプリケーションプログラム７３は、本実施形態では、携帯電話装置７ｂの機能を制御するためのプログラムである。
また、ＵＲＬ７４は、携帯電話装置７ｂが通信網を介してサーバ装置にアクセスするために用いる、通信網上でサーバ装置を識別するためのアドレスである。
【００１９】
制御部２３は、通信補助装置８の処理を統括的に制御する。
また、制御部２３は、通信補助装置８が携帯電話装置７ａに装着されたときに、後述するように携帯電話装置７ａの制御部１４を制御する。
【００２０】
図５（Ａ）は通信補助装置８の正面図、図５（Ｂ）は図５（Ａ）の図中上側から見た側面図、図５（Ｃ）は図５（Ａ）の図中左側から見た側面図、図５（Ｄ）は図５（Ａ）の図中下側から見た側面図、図５（Ｅ）は図５（Ａ）の図中右側から見た側面図である。
図５（Ａ）〜（Ｅ）に示すように、通信補助装置８は、第１のケース９０ａと第２のケース９０ｂとを有し、第１のケース９０ａと第２のケース９０ｂとの間に、携帯用通信インタフェース部２０、ＰＣ用インタフェース部２１、記憶部２２、制御部２３および電池（図示せず）を収容している。
携帯用通信インタフェース部２０のＵＳＢコネクタ２０ａの凸部が、図５（Ａ），（Ｂ），（Ｃ），（Ｅ）のように、通信補助装置８の外部に突き出ている。また、ＵＳＢコネクタ２０ａの凸部を、保護する保護ケース９１が、着脱自在に設けられている。保護ケース９１は、外した状態では、図６に示すようになる。
【００２１】
また、ＰＣ用インタフェース部２１のコネクタ２１ａの凹部は、図５（Ｄ）に示すように、通信補助装置８の外部に露出している。また、コネクタ２１ａを保護する保護ケース９２が着脱自在に設けられている。
【００２２】
図７（Ａ）は通信補助装置８の携帯用通信インタフェース部２０のコネクタ２０ａを、携帯電話装置７ａの通信インタフェース部１０のコネクタ１０ａに装着した状態での正面図、図７（Ｂ）は図７（Ａ）の左側から見た側面図である。
図７（Ａ），（Ｂ）に示すように、通信補助装置８を携帯電話装置７ａに装着する場合に、通信補助装置８の保護ケース９１を外した状態で、通信補助装置８の携帯用通信インタフェース部２０のコネクタ２０ａの凸部を、携帯電話装置７ａの通信インタフェース部１０の凹部１０ａに嵌め込む。
【００２３】
〔携帯電話通信制御装置９〕
携帯電話通信制御装置９は、携帯電話通信の中継機能、回線接続機能などを有し、携帯電話装置７ａと７ｂとの間の無線回線通信を制御する。
なお、携帯電話通信制御装置９は、例えば、インターネットなどの通信回線に接続され、携帯電話装置７ａから受信した電子メールを、インターネットを介して、携帯電話装置７ｂまたは電子メール配信用サーバ装置に送信する。
【００２４】
〔パーソナルコンピュータ２５〕
図８は、図１に示すパーソナルコンピュータ２５の機能ブロック図である。
図８に示すように、パーソナルコンピュータ２５は、例えば、通信インタフェース部３０、表示部３１、操作部３２、記憶部３３および制御部３４を有する。
通信インタフェース部３０は、図９に示すように、前述した通信補助装置８のＰＣ用インタフェース部２１のコネクタ２１ａに着脱自在に装着される通信ケーブル１００の凸状のコネクタを装着する凹状のコネクタ３０ａを有し、着時に通信ケーブル１００を介して通信補助装置８との間でデータの入出力を行うインタフェースである。
通信インタフェース部３０は、例えば、ＵＳＢインタフェースである。
また、図９に示すように、通信ケーブル１００には、ＵＳＢ規格の信号と、携帯電話装置の入出力インタフェース規格の信号との間で変換を行う変換回路１００ａが設けられている。
【００２５】
表示部３１は、例えば、制御部３４の制御に基づいて、表示信号に応じた画像を表示する。
操作部３２は、キーボードやマウスなどであり、ユーザによる操作に応じた操作信号を制御部３４に出力する。
記憶部３３は、図１０に示すように、通信補助装置用プログラム３５、単数または複数のアプリケーションプログラム３６、並びに単数または複数のＵＲＬ３７を記憶するハードディスクなどの記録媒体である。
ここで、通信補助装置用プログラム３５は、図８に示す制御部３４によって実行され、図９に示す状態で、図３に示す通信補助装置８の記憶部２２へのデータ書き込み処理を記述している。
【００２６】
アプリケーションプログラム３６は、図３に示す通信補助装置８の記憶部２２にダウンロードされるプログラムである。
また、個々のアプリケーションプログラム３６は、携帯電話装置の機種や、実現する機能に応じて細分化されたプログラムによっている。これにより、アプリケーションプログラム３６を通信補助装置８にダウンロードする場合に、通信補助装置８の記憶部２２として記憶容量が小さいものを選択可能になる。
ＵＲＬ３７は、図３に示す通信補助装置８の記憶部２２にダウンロードされるＵＲＬである。
【００２７】
制御部３４は、図１０に示す記憶部３３に記憶された通信補助装置用プログラム３５に基づいて、図３に示す通信補助装置８の記憶部２２へのデータ書き込み処理を行う。
【００２８】
以下、図１に示す通信システム１の動作例を説明する。
〔第１の動作例〕
当該動作例では、図４に示す通信補助装置８の記憶部２２に記憶されている氏名データ７０、電話番号データ７１および電子メールアドレスデータ７２などの個人情報をパーソナルコンピュータ２５が書き換える場合を説明する。
【００２９】
図１１は、図１に示す通信システム１の動作例を説明するための図である。
ステップＳＴ１１：
携帯電話装置７ｂのユーザＢが、図９に示すように、通信ケーブル１００の一端のコネクタを通信補助装置８のＰＣ用インタフェース部２１のコネクタ２１ａに装着し、通信ケーブル１００の他端のコネクタをパーソナルコンピュータ２５の通信インタフェース部３０のコネクタ３０ａに装着する。
【００３０】
ステップＳＴ１２：
ユーザＢが、図８に示すパーソナルコンピュータ２５の操作部３２を操作して、ユーザＢの氏名データ７０と、携帯電話装置７ｂの電話番号データ７１と、ユーザＢの電子メールアドレス７２とを入力する。
【００３１】
ステップＳＴ１３：
パーソナルコンピュータ２５は、当該入力された氏名データ７０、電話番号データ７１および電子メールアドレス７２を、通信ケーブル１００を介して、図３に示す通信補助装置８のＰＣ用インタフェース部２１から記憶部２３に書き込む。
【００３２】
ステップＳＴ１４：
ユーザＢは、例えば、ユーザＡと出会ったときに、自らの連絡先をユーザＡに伝えるときに、通信補助装置８をユーザＡに手渡す。
図１および図７に示すように、ユーザＡは、通信補助装置８を、自らの携帯電話装置７ａに装着する。
【００３３】
ステップＳＴ１５：
図３に示す通信補助装置８の制御部２３は、通信補助装置８が携帯電話装置７ａに装着されたことを検出すると、携帯用通信インタフェース部２０を介して、要求ＲＥＱ１１を携帯電話装置７ａに自動的に送信する。
当該要求ＲＥＱ１１は、図２に示す携帯電話装置７ａの通信インタフェース部１０で受信される。
【００３４】
ステップＳＴ１６：
図２に示す携帯電話装置７ａの制御部１４は、ステップＳＴ１５で受信した要求ＲＥＱ１１に基づいて、携帯用通信インタフェース部２０および通信インタフェース部１０を介して、通信補助装置８の記憶部２２にアクセスし、記憶部２２から、ユーザＢの氏名データ７０、電話番号データ７１および電子メールアドレス７２を読み出す。
【００３５】
ステップＳＴ１７：
携帯電話装置７ａの制御部１４は、ステップＳＴ１６で読み出したユーザＢの氏名データ７０、電話番号データ７１および電子メールアドレス７２を、電話帳データ１３ａとして記憶部１３に書き込む。これにより、ユーザＢの連絡先が、記憶部１３に電話帳登録される。
【００３６】
ステップＳＴ１８：
携帯電話装置７ａの制御部１４は、例えば、通信補助装置８の制御部２３の制御に基づいて、記憶部１３から読み出したユーザＡの携帯電話装置７ａの電話番号データを含む電子メールを生成する。
【００３７】
ステップＳＴ１９：
携帯電話装置７ａの制御部１４は、ステップＳＴ１８で生成した電子メールを、ステップＳＴ１７で登録したユーザＢの電子メールアドレス７２を送信先として携帯電話通信制御装置９に送信する。
当該電子メールは、携帯電話通信制御装置９を介して、例えば、図２に示す携帯電話装置７ｂの通信インタフェース部１０で受信される。
これにより、ユーザＢは、ユーザＡの電話番号データ、並びに、電子メールアドレスを取得できる。
【００３８】
以上説明したように、通信システム１によれば、ユーザＡが通信補助装置８を携帯電話装置７ａに装着するだけで、通信補助装置８に記憶されたユーザＢの氏名データ７０、電話番号データ７１および電子メールアドレス７２を、携帯電話装置７ａに自動的に電話帳登録できる。そのため、ユーザＡは、ユーザＢの氏名データ７０、電話番号データ７１および電子メールアドレス７２を、キー操作で携帯電話装置７ａに登録する必要がなくなり、手間が大幅に軽減される。
また、通信システム１によれば、パーソナルコンピュータ２５を用いて通信補助装置８内の個人情報を書き換えることができるため、ユーザＢの個人情報が変更された場合に柔軟に対応できる。
【００３９】
〔第２の動作例〕
当該動作例では、図４に示す通信補助装置８の記憶部２２に記憶されているアプリケーションプログラム７３をパーソナルコンピュータ２５が書き換える場合を説明する。
【００４０】
図１２は、当該動作例を説明するための図である。
ステップＳＴ２１：
携帯電話装置７ｂのユーザＢが、図９に示すように、通信ケーブル１００の一端のコネクタを通信補助装置８のＰＣ用インタフェース部２１のコネクタ２１ａに装着し、通信ケーブル１００の他端のコネクタをパーソナルコンピュータ２５の通信インタフェース部３０のコネクタ３０ａに装着する。
【００４１】
ステップＳＴ２２：
ユーザＢが、図８に示すパーソナルコンピュータ２５の操作部３２を操作して制御部３４に図１０に示す通信補助装置用プログラム３５を実行させる。
そして、操作部３２からユーザＢによって入力されたＡＰ転送指示に基づいて、指定されたアプリケーションプログラム３６を記憶部３３から読み出し、これを通信インタフェース部３０および通信ケーブル１００を介して通信補助装置８に送信する。
【００４２】
ステップＳＴ２３：
ステップＳＴ２２で送信されたアプリケーションプログラム３６が、図３に示すＰＣ用インタフェース部２１を介して通信補助装置８の記憶部２２に書き込まれる。
【００４３】
ステップＳＴ２４：
図１３に示すように、ユーザＢが、通信補助装置８を、自らの携帯電話装置７ｂに装着する。
【００４４】
ステップＳＴ２５：
図３に示す通信補助装置８の制御部２３は、ステップＳＴ２３で記憶部２２に書き込まれたアプリケーションプログラム３６を実行し、携帯用通信インタフェース部２０および通信インタフェース部１０を介して、携帯電話装置７ｂの制御部１４を制御して所定の機能を実行する。
なお、制御部２３は、記憶部２２に書き込まれたアプリケーションプログラム３６を、携帯用通信インタフェース部２０および通信インタフェース部１０を介して、携帯電話装置７ｂの記憶部１３にダウンロードし、携帯電話装置７ｂの制御部１４が当該ダウンロードされたアプリケーションプログラム３６に基づいて所定の機能を実行してもよい。
【００４５】
以上説明したように、通信システム１の上述した動作例によれば、ユーザＢがパーソナルコンピュータ２５を操作して通信補助装置８に変更または拡張する機能に係わるアプリケーションプログラム３６を書き込むだけで、携帯電話装置７ｂの機能の変更や、新たな機能の追加を容易に実現できる。
これにより、新たなアプリケーションプログラムを市場に早い段階で投入することが可能になる。
また、携帯電話装置７ｂに多様な用途がある場合に、通信補助装置８の記憶部２２の記憶容量を小さくしても、それぞれの用途に応じたアプリケーションプログラムに基づいて携帯電話装置７ｂの機能を実現することが可能になる。
また、パーソナルコンピュータ２５から通信補助装置８内にアプリケーションプログラム３６を書き込むことで、アプリケーションプログラムのバグの修正は記憶部２２に記憶されたアプリケーションプログラム３６を更新するだけで対応でき、携帯電話装置の生産および流通における回収等の負担を軽減できる。
【００４６】
〔第３の動作例〕
図１４は、当該動作例を説明するための通信システム１の全体構成図である。図１４に示すように、通信システム１では、インターネットなどの通信網４を介して、ホームページ情報が格納されたサーバ装置２と携帯電話通信事業者のサーバ装置５とが接続される。
【００４７】
また、通信システム１では、携帯電話通信網などの通信網６を介して、サーバ装置５と携帯電話装置７ｂとが接続される。
また、携帯電話装置７ｂには通信補助装置８（本発明の通信補助装置）が着脱自在に装着され、着時に携帯電話装置７ｂと通信補助装置８との間でデータが入出力される。
【００４８】
以下、図１４に示す各構成要素について説明する。
〔サーバ装置２〕
サーバ装置２は、例えば、所定の広告主のホームページデータを記憶する。
当該ホームページデータには、その通信網４上での記憶場所を識別するためのＵＲＬが割り当てられている。
【００４９】
〔サーバ装置５〕
サーバ装置５は、通信網４に接続されたサーバ装置２と、通信網６に接続された携帯電話装置７ｂとの間の通信制御を行う。
【００５０】
先ず、図４に示す通信補助装置８の記憶部２２に記憶されているＵＲＬ７４をパーソナルコンピュータ２５が書き換える場合を説明する。
図１５および図１６は、当該動作例を説明するためのフローチャートである。
ステップＳＴ３１：
携帯電話装置７ｂのユーザＢが、図９に示すように、通信ケーブル１００の一端のコネクタを通信補助装置８のＰＣ用インタフェース部２１のコネクタ２１ａに装着し、通信ケーブル１００の他端のコネクタをパーソナルコンピュータ２５の通信インタフェース部３０のコネクタ３０ａに装着する。
【００５１】
ステップＳＴ３２：
ユーザＢが、図８に示すパーソナルコンピュータ２５の操作部３２を操作して制御部３４に図１０に示す通信補助装置用プログラム３５を実行させる。
そして、操作部３２からユーザＢによって入力されたＵＲＬ転送指示に基づいて、指定されたＵＲＬ３７を記憶部３３から読み出し、これを通信インタフェース部３０および通信ケーブル１００を介して通信補助装置８に送信する。
【００５２】
ステップＳＴ３３：
ステップＳＴ３２で送信されたＵＲＬ３７が、図３に示すＰＣ用インタフェース部２１を介して通信補助装置８の記憶部２２に書き込まれる。
【００５３】
ステップＳＴ３４：
図１３に示すように、ユーザＢが、通信補助装置８を、自らの携帯電話装置７ｂに装着する。
【００５４】
ステップＳＴ３５：
図３に示す通信補助装置８の制御部２３は、コネクタ２０ａが携帯電話装置７ｂのコネクタ１０ａに差し込まれたことを検出すると、携帯用通信インタフェース部２０を介して携帯電話装置７ｂに要求ＲＥＱ１を出力する。
当該要求ＲＥＱ１は、図２に示す携帯電話装置７ｂの通信インタフェース部１０に入力される。
【００５５】
ステップＳＴ３６：
図２に示す携帯電話装置７ｂの制御部１４は、ステップＳＴ３５で入力した要求ＲＥＱ１に応じて、携帯電話装置７ｂの製造番号および電話番号を記憶部１３から読出、これを通信インタフェース部１０を介して通信補助装置８に出力する。
当該製造番号および電話番号は、図３に示す通信補助装置８の携帯用通信インタフェース部２０に入力され、記憶部２２に記憶される。
【００５６】
ステップＳＴ３７：
図３に示す通信補助装置８の制御部２３は、ステップＳＴ３６で記憶した携帯電話装置７ｂの製造番号および電話番号と、ステップＳＴ３３で記憶したＵＲＬ３７とを記憶部２２から読み出す。
そして、制御部２３は、当該読み出した情報を含む要求ＲＥＱ２を生成し、携帯用通信インタフェース部２０を介して携帯電話装置７ｂに出力する。
当該要求ＲＥＱ２は、図２に示す携帯電話装置７ｂの通信インタフェース部１０に入力され、当該要求ＲＥＱ２に含まれる情報が記憶部１３に記憶される。
【００５７】
ステップＳＴ３８：
図２に示す携帯電話装置７ｂの制御部１４は、要求ＲＥＱ２に応じて、ステップＳＴ３７で記憶したＵＲＬ３７に基づいて、無線方式で通信網６を介してサーバ装置５にアクセスを行い、サーバ装置５の制御に基づいて、通信網４を介してサーバ装置２にアクセスを行う。
【００５８】
ステップＳＴ３９：
ステップＳＴ３８のアクセスに応じて、サーバ装置２が提供するホームページに応じた画面が携帯電話装置７ｂの表示部１１に表示される。
【００５９】
以上説明したように、通信システム１の上述した動作例によれば、ユーザＢは、通信補助装置８を携帯電話装置７ｂに装着するだけで、通信補助装置８内に記憶されたＵＲＬのホームページ情報に自動的にアクセスできる。そのため、ユーザは、携帯電話装置７ｂの操作部１２を操作して、ＵＲＬを入力する必要がなくなり、負担が大幅に軽減される。また、当該ＵＲＬを開設した広告主にとっても、ユーザからのアクセスが増えることで、高い広告効果が得られる。
また、通信システム１の上述した動作例によれば、ユーザＢがパーソナルコンピュータ２５を操作して通信補助装置８に新たなＵＲＬを書き込むことで、携帯電話装置７ｂが自動的にアクセスするＵＲＬを容易に変更または追加できる。
【００６０】
【発明の効果】
以上説明したように、本発明によれば、他人の電話番号や電子メールアドレスを簡単な操作で、携帯型通信装置に電話帳登録できる通信補助装置および通信方法を提供することができる。
また、本発明によれば、携帯型通信装置の機能をユーザが容易に変更または拡張することができる通信補助装置および通信方法を提供することができる。
【図面の簡単な説明】
【図１】図１は、本発明の実施形態の通信システムの全体構成図である。
【図２】図２は、図１に示す携帯電話装置の機能ブロック図である。
【図３】図３は、図１に示す通信補助装置の機能ブロック図である。
【図４】図４は、図３に示す記憶部に記憶されるデータを説明するための図である。
【図５】図５（Ａ）は図１に示す通信補助装置の正面図、図５（Ｂ）は図５（Ａ）の図中上側から見た側面図、図５（Ｃ）は図５（Ａ）の図中左側から見た側面図、図５（Ｄ）は図５（Ａ）の図中下側から見た側面図、図５（Ｅ）は図５（Ａ）の図中右側から見た側面図である。
【図６】図６は、図５に示す通信補助装置の保護ケースを外した状態での図である。
【図７】図７（Ａ）は図１に示す通信補助装置の携帯用通信インタフェース部のコネクタを、携帯電話装置の通信インタフェース部のコネクタに装着した状態での正面図、図７（Ｂ）は図７（Ａ）の左側から見た側面図である。
【図８】図８は、図１に示すパーソナルコンピュータの機能ブロック図である。
【図９】図９は、図１に示すパーソナルコンピュータと通信補助装置とを通信ケーブルで接続した状態を説明するための図である。
【図１０】図１０は、図８に示す記憶部の記憶データを説明するための図である。
【図１１】図１１は、図１に示す通信システムの第１の動作例を説明するための図である。
【図１２】図１２は、図１に示す通信システムの第２の動作例を説明するための図である。
【図１３】図１３は、図１に示す通信システムの第２の動作例を説明するための図である。
【図１４】図１４は、図１に示す通信システムの第３の動作例を説明するための図である。
【図１５】図１５は、図１に示す通信システムの第３の動作例を説明するための図である。
【図１６】図１６は、図１に示す通信システムの第３の動作例を説明するための図である。
【符号の説明】
１…通信システム、２…サーバ装置、４…通信網、５…サーバ装置、６…通信網、７ａ，７ｂ…携帯電話装置、８…通信補助装置、２５…パーソナルコンピュータ、１０…通信インタフェース部、１１…表示部、１２…操作部、１３…記憶部、１３ａ…電話帳データ、１３ｂ…アプリケーションプログラム、１４…制御部、２０…携帯用通信インタフェース部、２１…ＰＣ用インタフェース部、２２…記憶部、２３…制御部、７０…氏名データ、７１…電話番号データ、７２…電子メールアドレス、７３…アプリケーションプログラム、７４…ＵＲＬ、３０…通信インタフェース部、３１…表示部、３２…操作部、３３…記憶部、３４…制御部
【図１】
0003787080.tif 000002
【図２】
0003787080.tif 000003
【図３】
0003787080.tif 000004
【図４】
0003787080.tif 000005
【図５】
0003787080.tif 000006
【図６】
0003787080.tif 000007
【図７】
0003787080.tif 000008
【図８】
0003787080.tif 000009
【図９】
0003787080.tif 000010
【図１０】
0003787080.tif 000011
【図１１】
0003787080.tif 000012
【図１２】
0003787080.tif 000013
【図１３】
0003787080.tif 000014
【図１４】
0003787080.tif 000015
【図１５】
0003787080.tif 000016
【図１６】
0003787080.tif 000017